(57)【要約】      （修正有）【課題】誤操作が防止出来、簡潔な構成によりコストダウンが図れる表示部開閉装置を実現する。【解決手段】ケース本体に開閉可能に設けられた表示部１１と、表示部１１の側面の一端側に設けられ表示部１１を軸支し表示部１１を回動して開閉する回転軸１２とを具備する表示部開閉装置において、表示部１１の側面の他端側に設けられた第１のピン１３と、表示部１１の開状態において表示部１１の側面の回転軸１２より下方側に設けられた第２のピン１４と、表示部１１の閉状態において第１のピン１３をケース本体に係止する第１の係止手段１５と、表示部１１の開状態において第２のピン１４をケース本体に係止する第２の係止手段１６とを具備した。【選択図】図１
2005150604.tif 000002
【特許請求の範囲】
【請求項１】
ケース本体に開閉可能に設けられた表示部と、表示部の側面の一端側に設けられ表示部を軸支し表示部を回動して開閉する回転軸とを具備する表示部開閉装置において、
前記表示部の側面の他端側に設けられた第１のピンと、
前記表示部の開状態において前記表示部の側面の前記回転軸より下方側に設けられた第２のピンと、
前記表示部の閉状態において前記第１のピンを前記ケース本体に係止する第１の係止手段と、
前記表示部の開状態において前記第２のピンを前記ケース本体に係止する第２の係止手段と
を具備したことを特徴とする表示部開閉装置。
【請求項２】
前記係止手段は,板ばねよりなること
を特徴とする請求項１記載の表示部開閉装置。
【請求項３】
前記係止手段は,ステンレス材が使用されたこと
を特徴とする請求項１又は請求項２記載の表示部開閉装置。
【発明の詳細な説明】
【技術分野】
【０００１】
本発明は、例えば、工業用記録計に搭載される表示部の開閉機構に関するものである。
本発明は、誤操作が防止出来、簡潔な構成によりコストダウンが図れる表示部開閉装置に関するものである。
【背景技術】
【０００２】
表示部開閉装置に関連する先行技術文献としては次のようなものがある。
【非特許文献１】横河電機株式会社発行、Instruction  Manual、「μＲ１８００記録計ペンモ          デル」、１９９２年１１月  初版、
【０００３】
図５、図６、図７はこのような従来の表示部開閉装置の一例を示す要部構成斜視説明図である。
図において、１は表示部、２は表示部回転軸である。
３はロックレバーで、４はロックレバー回転軸、５はリリーズレバーである。
６はスプリングである。
【０００４】
以上の構成において、このような表示部１の動作条件として９０度回転させ、表示部１を開状態としてロックできることが必要とされる。
図５に示す如く、表示部１を開く場合には、表示部１を９０度回転させるとロックレバー３が表示部回転軸２を軸に表示部１がロックされる機構になっている。
【０００５】
表示部１を元に戻して、表示部１を閉じる場合には、図３に示す如く、リリーズレバー５を９０度回転させロックを解除、図４に示す如く、リリーズレバー５が表示部１と共に下がる機構になっており、スプリング６にてリリーズレバー５を固定している。
【０００６】
図８、図９、図１０に、上記の動作を側面から示す。
ここで、７はケース本体、８はコイルスプリング、９は表示部回転軸に取付けられたカムで、黒色部分は切り欠かれた部分である。
【発明の開示】
【発明が解決しようとする課題】
【０００７】
しかしながら、このような装置においては、
（１）表示部１を下げるのに、表示部１をそのまま押し下げることができず、二動作が必要隣、操作が面倒であり、部品点数も多い。
（２）リリーズレバー５を回転させないで、表示部１を無理やり下げて、ロックレバー３を破損する恐れがある。
【０００８】
本発明の目的は、上記の課題を解決するもので、誤操作が防止出来、簡潔な構成によりコストダウンが図れる表示部開閉装置を提供することを目的とする。
【課題を解決するための手段】
【０００９】
このような課題を達成するために、本発明では、請求項１の表示部開閉装置においては、
ケース本体に開閉可能に設けられた表示部と、表示部の側面の一端側に設けられ表示部を軸支し表示部を回動して開閉する回転軸とを具備する表示部開閉装置において、
前記表示部の側面の他端側に設けられた第１のピンと、前記表示部の開状態において前記表示部の側面の前記回転軸より下方側に設けられた第２のピンと、前記表示部の閉状態において前記第１のピンを前記ケース本体に係止する第１の係止手段と、前記表示部の開状態において前記第２のピンを前記ケース本体に係止する第２の係止手段とを具備したことを特徴とする。
【００１０】
本発明の請求項２においては、請求項１記載の表示部開閉装置において、
前記係止手段は,板ばねよりなることを特徴とする。
【００１１】
本発明の請求項３においては、請求項１又は請求項２記載の表示部開閉装置において、
前記係止手段は,ステンレス材が使用されたことを特徴とする。
【発明の効果】
【００１２】
本発明の請求項１によれば、次のような効果がある。
普通に表示部の開閉操作が可能になり誤操作が防止できる表示部開閉装置が得られる。
簡潔な構成により、部品削減によるコストダウンが図れる表示部開閉装置が得られる。
組立性が向上し、組立工数が削減出来て,安価な表示部開閉装置が得られる。
表示部の交換作業においてメンテナンス性に優れている表示部開閉装置が得られる。
【００１３】
本発明の請求項２によれば、次のような効果がある。
係止手段は,板ばねよりなるので、同じ部品を使用することでの共通化が図れ安価な表示部開閉装置が得られる。
【００１４】
本発明の請求項３によれば、次のような効果がある。
係止手段は,ステンレス材がが使用されたので、耐食性が向上された表示部開閉装置が得られる。
【発明を実施するための最良の形態】
【００１５】
以下本発明を図面を用いて詳細に説明する。
図１は本発明の一実施例の要部構成説明図、図２は図１の動作説明図、図３、図４は図１の側面から見た動作説明図である。
図において、図５と同一記号の構成は同一機能を表す。
以下、図５と相違部分のみ説明する。
【００１６】
図において、表示部１１は、ケース本体７（図３、図４に図示）に開閉可能に設けられている。
回転軸１２は、表示部１１の側面の一端側に設けられ、表示部１１を軸支し、表示部１１を回動して開閉する。
【００１７】
第１のピン１３は、表示部１１の側面の他端側に設けられている。
第２のピン１４は、表示部１１の開状態において、表示部１１の側面の回転軸１２より下方側に設けられている。
第１の係止手段１５は、表示部１１の閉状態において、第１のピン１３をケース本体７に係止する。
【００１８】
第２の係止手段１６は、表示部１１の開状態において、第２のピン１４をケース本体７に係止する。
この場合は、係止手段１４，１５は,板ばねよりなる。
また、板ばね１５，１６は,ステンレス材が使用されている。
【００１９】
以上の構成において、図２に示す如く、表示部１１を開く場合には、表示部１１を９０度回転させると第２のピン１４が第２の係止手段１６に係止されて、表示部１１がロックされる。
表示部１１を元に戻して、表示部１１を閉じる場合には、図１に示す如く、表示部１１を９０度回転させると、第１のピン１３が第１の係止手段１５に係止されて、表示部１１がロックされる。
図３、図４に、上記の動作を側面から示す。
【００２０】
この結果、
普通に表示部１１の開閉操作が可能になり、誤操作が防止できる表示部開閉装置が得られる。
簡潔な構成により、部品削減によるコストダウンが図れる表示部開閉装置が得られる。
組立性が向上し、組立工数が削減出来て,安価な表示部開閉装置が得られる。
表示部１１の交換作業においてメンテナンス性に優れている表示部開閉装置が得られる。
【００２１】
係止手段１５，１６は、板ばねよりなるので、同じ部品を使用することでの共通化が図れ安価な表示部開閉装置が得られる。
係止手段１５，１６は、ステンレス材がが使用されたので、耐食性が向上された表示部開閉装置が得られる。
【図面の簡単な説明】
【００２２】
【図１】本発明の一実施例の要部構成説明図である。
【図２】図１の動作説明図である。
【図３】図１の動作説明図である。
【図４】図１の動作説明図である。
【図５】従来の表示部開閉装置の一例を示す要部構成説明図である。
【図６】図５の動作説明図である。
【図７】図５の動作説明図である。
【図８】図５の動作説明図である。
【図９】図５の動作説明図である。
【図１０】図５の動作説明図である。
【符号の説明】
【００２３】
１      表示部
２      表示部回転軸
３      ロックレバート
４      ロックレバー回転軸
５      リリーズレバー
６      スプリング
７      ケース本体
８      コイルスプリング
９      カム
１１    表示部
１２    回転軸
１３    第１のピン
１４    第２のピン
１５    第１の係止手段
１６    第２の係止手段
【図１】
2005150604.tif 000003
【図２】
2005150604.tif 000004
【図３】
2005150604.tif 000005
【図４】
2005150604.tif 000006
【図５】
2005150604.tif 000007
【図６】
2005150604.tif 000008
【図７】
2005150604.tif 000009
【図８】
2005150604.tif 000010
【図９】
2005150604.tif 000011
【図１０】
2005150604.tif 000012